(57)【特許請求の範囲】
【請求項１】
装置外部から挿入された貨幣類を収納する、及び又は、装置外部に排出させる貨幣類を収納する貨幣類収納部を有する遊技関連装置と、
上記遊技関連装置に着脱自在なものであって、上記遊技関連装置に装着されたときに、上記貨幣類収納部として機能する携帯金庫と、
上記携帯金庫を着脱自在なものであって、上記携帯金庫が装着された状態で、上記携帯金庫に貨幣類を収納させたり、及び又は、上記携帯金庫に収納されていた貨幣類を回収したりする貨幣類管理装置とを少なくとも有し、
上記携帯金庫は、当該携帯金庫が上記遊技関連装置及び上記貨幣類管理装置のいずれにも装着されていない状態が所定時間以上である場合を異常として検出する第１の異常検出部と、異常の検出時に報知する異常報知部とを有する
ことを特徴とする遊技場の貨幣類管理システム。
【請求項２】
上記遊技関連装置、上記携帯金庫及び上記貨幣類管理装置における貨幣類の枚数を一元管理するシステム管理コンピュータをさらに有することを特徴とする請求項１に記載の遊技場の貨幣類管理システム。
【請求項３】
上記携帯金庫に対する破壊異常を検出する第２の異常検出部を有することを特徴とする請求項１又は２に記載の遊技場の貨幣類管理システム。
【請求項４】
上記携帯金庫の位置異常を検出する第３の異常検出部を有することを特徴とする請求項１〜３のいずれかに記載の遊技場の貨幣類管理システム。
【請求項５】
上記第３の異常検出部が、上記携帯金庫から離間した位置に設けられていることを特徴とする請求項４に記載の遊技場の貨幣類管理システム。
【請求項６】
上記携帯金庫の上記遊技関連装置又は上記貨幣類管理装置への装着及び離脱は、上記遊技関連装置又は上記貨幣類管理装置への正当な操作者カードの挿入を条件としていることを特徴とする請求項１〜７のいずれかに記載の遊技場の貨幣類管理システム。
【請求項７】
上記操作者カードに記載されている操作者コードと、上記システム管理コンピュータに登録されている操作者コードとの照合一致を、正当性判断の少なくとも１条件としてことを特徴とする請求項６に記載の遊技場の貨幣類管理システム。
【請求項８】
上記操作者コードは、操作者に固有な操作者固有コードに、所定事象の発生時に発生された乱数を付加したものであることを特徴とする請求項７に記載の遊技場の貨幣類管理システム。
【請求項９】
上記携帯金庫が装着された上記遊技関連装置又は上記貨幣類管理装置と、装着状態にある上記携帯金庫との情報授受は、無線通信によることを特徴とする請求項１〜８のいずれかに記載の遊技場の貨幣類管理システム。
【請求項１０】
遊技者の利用する遊技関連装置及び貨幣類を払い出し又は回収する貨幣類管理装置に着脱可能な携帯金庫であって、
貨幣類を収納する筐体と、
上記遊技関連装置又は上記貨幣類管理装置に装着されたことを検知する装着検知部と、
当該携帯金庫が上記遊技関連装置及び上記貨幣類管理装置のいずれにも装着されていない状態が所定時間以上である場合を異常として検出する異常検出部と、
異常の検出時に報知する異常報知部と、
上記遊技関連装置又は上記貨幣類管理装置に当該携帯金庫が装着されたとき、上記遊技関連装置又は上記貨幣類管理装置と無線通信による情報授受をするための上記筐体に設けられたアンテナとを備え、
上記筐体には、貨幣類挿入用窓部と貨幣類排出用窓部とが形成され、上記筐体は、上記貨幣類挿入用窓部を閉塞可能な閉塞板と上記貨幣類排出用窓部を閉塞可能な閉塞板と、上記閉塞板をロックするロック機構と、上記遊技関連装置又は上記貨幣類管理装置に装着されたときに上記ロック機構のロックを解除するロック解除機構とを有し、
上記遊技関連装置に装着されたときには、上記遊技関連装置の貨幣類収納部として機能し、上記貨幣類管理装置に装着されたときには、上記貨幣類管理装置の貨幣類収納部として機能する
ことを特徴とする携帯金庫。
【発明の詳細な説明】
【０００１】
【発明の属する技術分野】
本発明は、遊技場における紙幣、硬貨、さらにはこれらと同様な貨幣価値を有する貨幣類を管理する貨幣類管理システム及びそれに適用可能な携帯金庫に関するものである。
【０００２】
【従来の技術】
従来、パチンコ遊技機やスロットマシンなどを備える遊技場においては、多くの機器で、紙幣や硬貨やカード等の貨幣価値を有するものが取り扱われる。
【０００３】
例えば、使用のたびに紙幣や硬貨を取り扱う煩雑さから、遊技場で使用するパチンコ球の貸し出しをカードで制御するシステムがある。このようなシステムでは、遊技者は、遊技場に設置されているカード販売機に紙幣（や硬貨）を挿入してプリペイドカードを購入し、これをパチンコ遊技機のカード挿入口又はパチンコ遊技機の横の球貸し装置のカード挿入口に挿入して、パチンコ球の供給を受けて遊技を行う。
【０００４】
上述したカード販売機には、予め釣銭用の紙幣や硬貨が蓄積されていると共に、払い出すプリペイドカードが蓄積されている。また、カード販売機には、購入用に挿入された紙幣（や硬貨）も蓄積される（これらは釣銭に用いられることもある）。
【０００５】
パチンコ遊技機やスロットマシンなどを備える遊技場においては、このようなカード販売機だけでなく、紙幣や硬貨やカード等の貨幣価値を有するものを取り扱う機器（以下、場合によっては、貨幣類取扱装置と呼ぶ）が多数設置されている。
【０００６】
一般には、遊技場管理者や従業員等が、遊技場開店前に、貨幣類取扱装置に対して所定数（所定額）の紙幣や硬貨やカード等を装填すると共に、遊技場閉店後に、貨幣類取扱装置から紙幣や硬貨やカード等を取り出して計数し、経費の集計等を行う。勿論、営業の途中において、貨幣類取扱装置に紙幣や硬貨やカード等を補充することもある。
【０００７】
【発明が解決しようとする課題】
しかしながら、従来では、遊技場開店前に貨幣類取扱装置に対して紙幣や硬貨やカード等を装填すると共に、遊技場閉店後に貨幣類取扱装置から紙幣や硬貨やカード等を取り出すとは言え、そのような貨幣類を直接持ち運ぶので、防犯上、未だ不十分ということができる。特に、営業の途中において、貨幣類を補充する際の防犯対策としては不十分である。
【０００８】
また、従来の貨幣類の管理では、遊技場閉店後に、貨幣類取扱装置から取り出した紙幣や硬貨やカード等の貨幣類の計数は計数機器を用いて行っても、その後、遊技場の金庫に入庫することを別途行わなければならない。また、計数機器は、独立した装置となっており、計数値は、貨幣類の管理端末に別途入力操作しなければならない。
【０００９】
本発明は、以上の点に鑑みなされたものであり、防犯機能が充実した、しかも、経理処理等を簡便にできる遊技場の貨幣類管理システムや携帯金庫を提供しようとしたものである。
【００１０】
【課題を解決するための手段】
かかる課題を解決するため、本発明の遊技場の貨幣類管理システムは、（１）装置外部から挿入された貨幣類を収納する、及び又は、装置外部に排出させる貨幣類を収納する貨幣類収納部を有する遊技関連装置（例えば遊技カード発券機）と、（２）上記遊技関連装置に着脱自在なものであって、上記遊技関連装置に装着されたときに、上記貨幣類収納部として機能する携帯金庫と、（３）上記携帯金庫を着脱自在なものであって、上記携帯金庫が装着された状態で、上記携帯金庫に貨幣類を収納させたり、及び又は、上記携帯金庫に収納されていた貨幣類を回収したりする貨幣類管理装置（例えば現金管理機）とを少なくとも有し、上記携帯金庫は、当該携帯金庫が上記遊技関連装置及び上記貨幣類管理装置のいずれにも装着されていない状態が所定時間以上である場合を異常として検出する第１の異常検出部と、異常の検出時に報知する異常報知部とを有することを特徴とする。
【００１１】
ここで、上記遊技関連装置、上記携帯金庫及び上記貨幣類管理装置における貨幣類の枚数を一元管理するシステム管理コンピュータをさらに有することが好ましい。
【００１３】
他の異常検出部（第２及び第３の異常検出部）として、当該携帯金庫に対する破壊異常を検出するものや、当該携帯金庫の位置異常を検出するものが設けられていることが好ましい。
【００１４】
第３の異常検出部が、上記携帯金庫から離間した位置に設けられていることも好ましい。
【００１５】
さらに、上記携帯金庫の上記遊技関連装置又は上記貨幣類管理装置への装着及び離脱は、上記遊技関連装置又は上記貨幣類管理装置への正当な操作者カードの挿入を条件としていることが好ましい。
【００１６】
ここで、上記操作者カードに記載されている操作者コードと、上記システム管理コンピュータに登録されている操作者コードとの照合一致を、正当性判断の少なくとも１条件としてことが好ましい。
【００１７】
また、上記操作者コードは、操作者に固有な操作者固有コードに、所定事象の発生時に発生された乱数を付加したものであることが好ましい。なお、所定事象の発生とは、例えば、従業員が出勤したときの操作時や、ある装置から上記操作者カードを排出する毎である。
【００１８】
さらに、上記携帯金庫が装着された上記遊技関連装置又は上記貨幣類管理装置と、装着状態にある上記携帯金庫との情報授受は、無線通信によることが好ましい。
【００１９】
また、本発明の携帯金庫は、遊技者の利用する遊技関連装置及び貨幣類を払い出し又は回収する貨幣類管理装置に着脱可能なものであって、（１）貨幣類を収納する筐体と、（２）上記遊技関連装置又は上記貨幣類管理装置に装着されたことを検知する装着検知部と、（３）当該携帯金庫が上記遊技関連装置及び上記貨幣類管理装置のいずれにも装着されていない状態が所定時間以上である場合を異常として検出する異常検出部と、（４）異常の検出時に報知する異常報知部と、（５）上記遊技関連装置又は上記貨幣類管理装置に当該携帯金庫が装着されたとき、上記遊技関連装置又は上記貨幣類管理装置と無線通信による情報授受をするための上記筐体に設けられたアンテナとを備え、（６）上記筐体には、貨幣類挿入用窓部と貨幣類排出用窓部とが形成され、上記筐体は、上記貨幣類挿入用窓部を閉塞可能な閉塞板と上記貨幣類排出用窓部を閉塞可能な閉塞板と、上記閉塞板をロックするロック機構と、上記遊技関連装置又は上記貨幣類管理装置に装着されたときに上記ロック機構のロックを解除するロック解除機構とを有し、（７）上記遊技関連装置に装着されたときには、上記遊技関連装置の貨幣類収納部として機能し、上記貨幣類管理装置に装着されたときには、上記貨幣類管理装置の貨幣類収納部として機能することを特徴とする。
【００２０】
【発明の実施の形態】
（Ａ）実施形態
以下、本発明による遊技場の貨幣類管理システム及び携帯金庫の一実施形態を図面を参照しながら詳述する。
【００２１】
この実施形態の貨幣類管理システムに係る遊技場に設置されている遊技機の種類は問わないが、以下では、説明の簡単化を考慮し、遊技場に設けられている遊技機はパチンコ遊技機であるとして説明を行う。また、この実施形態の貨幣類管理システムが対象とする貨幣類が、紙幣及び硬貨であるとして説明を行う。
【００２２】
（Ａ−１）実施形態の構成及び各部機能
図１は、この実施形態の貨幣類管理システムの全体構成を示すブロック図である。
【００２３】
図１において、この実施形態の貨幣類管理システム１は、現金管理機２、遊技カード発券機３、携帯金庫４、操作者カード装置（従業員カード装置）５、防犯用無線機６、及び、システム管理コンピュータ７が、遊技場における専用回線（例えばＬＡＮ）Ｎで接続されて構成されている。
【００２４】
また、現金管理機２、操作者カード装置５及びシステム管理コンピュータ７は、例えば、遊技場事務室等に設置されており、遊技カード発券機３及び防犯用無線機６は遊技場ホール内に設置されており、携帯金庫４は、現金管理機２及び遊技カード発券機３のいずれの内部にも着脱可能なものである。
【００２５】
（Ａ−１−１）現金管理機２
現金管理機２は、遊技場における現金（貨幣）の一元管理に供するものであり、必要とする貨幣を払い出したり、貨幣を回収したりするものである。
【００２６】
図２は、現金管理機２の機能的構成を示す説明図であり、電気的な機能構成だけでなく、機構的な機能構成をも示している。
【００２７】
現金管理機２は、斜視図の図示は省略しているが、箱形状を有し、例えば、床面等に固定設置されているものである。
【００２８】
現金管理機２の内部には、固定金庫１０及び貨幣計数部１１が設けられていると共に、携帯金庫４の装着空間も設けられている。なお、図２は、携帯金庫４が内部空間に装着されているイメージを示している。
【００２９】
固定金庫１０は、内部構成の図示は省略しているが、紙幣や硬貨を収納しているものであり、制御部１２の制御下で、収納している紙幣や硬貨を貨幣計数部１１を介して携帯金庫４に転送したり、収納している紙幣や硬貨を貨幣計数部１１を介して貨幣出入口１３に転送したり、携帯金庫４に収納されている紙幣や硬貨を貨幣計数部１１を介して内部に取り込んだり、貨幣出入口１３から挿入された紙幣や硬貨を貨幣計数部１１を介して内部に取り込んだりするものである。貨幣出入口１３は、紙幣の出入口と硬貨の出入口とに分かれているが、図２ではまとめて示している。
【００３０】
なお、固定金庫１０は、内部に、紙幣や硬貨の収納部だけでなく、その収納部から紙幣や硬貨を繰り出したり、その収納部に紙幣や硬貨を収納させたりするための機構やその駆動部等を有している。このような構成は、例えば、自販機や銀行のＡＴＭ装置などの機構や駆動部と同様であるので、その説明は省略する。
【００３１】
なお、貨幣出入口１３を利用しない固定金庫１０に対する貨幣の補充や取出しは、銀行員や警備会社の者や遊技場経営者が直接実行するようにしておくことが好ましい。
【００３２】
貨幣計数部１１は、固定金庫１０から携帯金庫４に転送される貨幣や、固定金庫１０から外部（貨幣払出口１３）に払い出される貨幣や、携帯金庫４から固定金庫１０に転送される貨幣や、外部（貨幣払出口１３）から固定金庫１０に転送される貨幣を計数するものである。
【００３３】
固定金庫１０から出力された貨幣の計数時においては、貨幣計数部１１は、制御部１２から指示された各種紙幣や各種硬貨が指示された枚数だけ転送されるような計数動作を行う。一方、携帯金庫４から固定金庫１０へ転送される貨幣の計数時には、携帯金庫４に収納されていた各種紙幣や各種硬貨を全て取り出すように、各種類毎に全て計数し、計数情報を制御部１２に与える。また、外部（貨幣払出口１３）から固定金庫１０へ転送される貨幣の計数時には、携帯金庫４に収納されていた各種紙幣や各種硬貨を全て取り出すように、各種類毎に全て計数し、計数情報を制御部１２に与える。
【００３４】
この実施形態の場合、貨幣計数部１１は紙幣や硬貨の真偽を判別する構成を備えていない。当該現金管理機２に対する高額の補充は、銀行から引き出された、その時点で真偽が確認されている貨幣で行われていると共に、携帯金庫４から回収される貨幣も、後述する遊技カード発券機３で真偽が確認されているためである。このように、貨幣の真偽判別構成を備えないことで、当該現金管理機２の構成を簡単にできると共に、計数動作の時間を短いものとできる。
【００３５】
携帯金庫４の構成については後述する。上述のように、当該現金管理機２には携帯金庫４を装着し得る空間が設けられており、携帯金庫４が装着された際には、金庫装着センサ１４がそのことを検出して制御部１２に通知するようになされている。制御部１２は、動作の説明で後述するようにして、携帯金庫４を、貨幣を授受できる状態にする。なお、携帯金庫４は、後述する防犯構成用の電源を内蔵しているが、他の構成用の動作電源は、図２では省略しているが、携帯金庫４が装着された際に、当該現金管理機２から供給されるようになされている。
【００３６】
当該現金管理機２は、２重の扉体１５及び１６を備えている。外側の扉体１５は、固定金庫１０、貨幣計数部１１、及び、携帯金庫４の装着空間の全てをカバーし、内側の扉体１６は、固定金庫１０及び貨幣計数部１１をカバーしている。すなわち、固定金庫１０及び貨幣計数部１１に対し、何らかの操作を行おうとするときは、２重の扉体１５及び１６の双方を開放しなければならないようになされている。
【００３７】
これら扉体１５及び１６は、図２では省略しているが、電磁機構その他の電気的制御可能な施錠機構を有し、この施錠機構に対するロック／アンロックは制御部１２によって制御されるようになされている。
【００３８】
外側の扉体１５には、上述した貨幣出入口１３が設けられていると共に、図２では設置位置が明確ではないが、カード出入口１７、入力部１８及び表示部１９も設けられている。
【００３９】
カード出入口１７は、従業員や、銀行員又は警備会社員が携帯する、例えばＩＣカードでなる操作者カード２０を出し入れするものである。カード出入口１７から挿入された操作者カード２０は、カードアクセス部２１まで搬送される。カードアクセス部２１は、操作者カード２０に記憶されている情報を読み取って制御部１２に与えたり、制御部１２から与えられた情報を操作者カード２０に記憶させたりするものである。例えば、制御部１２は、操作者カード２０から読み取った情報を扉体１５や１６のアンロックの判断の１条件としたりする。また、制御部１２は、当該現金管理機２に対する操作履歴を操作者カード２０に記憶させたりする。
【００４０】
入力部１８は、例えば、複数のキーを備え、操作者が当該現金管理機２に所定情報を入力させる際に用いられるものである。入力された情報は、制御部１２に与えられる。
【００４１】
表示部１９は、制御部１２の制御下で、操作を促すガイダンスメッセージや当該現金管理機２の状態情報などを表示したりするものである。
【００４２】
また、現金管理機２は、通信処理部２２を備えている。通信処理部２２は、制御部１２の制御下で、遊技カード発券機３やシステム管理コンピュータ７等の他の機器と専用回線Ｎを介した通信を実行するものである。
【００４３】
さらに、現金管理機２は、無線通信部２３を備えている。携帯金庫４と制御部１２との情報授受は、この無線通信部２３を介して実行される。ここで、無線通信は、電磁波又は光のいずれによるものでも良い。電磁波による場合には、現金管理機２の筺体が電磁シールド効果を発揮するものであることが好ましい。なお、携帯金庫４と制御部１２との情報授受を有線で行っても良いことは勿論である。以下では、電磁波を用いているとして説明を行う。また、無線通信部２３はアンテナを含んでいるとする。
【００４４】
制御部１２は、例えばマイコンでなり、当該現金管理機２の全体を制御するものである。この制御内容については、後述する動作説明で明らかにする。
【００４５】
以上の構成要素の他、現金管理機２は、当該現金管理機２の動作や操作の異常を報知するためのブザー２４や、操作者カード２０の挿入状態などを示すカード挿入ランプ２５なども備えている。
【００４６】
（Ａ−１−２）遊技カード発券機３
遊技カード発券機３は、パチンコ遊技の際のパチンコ球（遊技球）を貸し出しするために必要となる、遊技カード３０を発行したりするものであって、遊技場ホールの任意の位置に設置されているものである。例えば、いわゆる島単位に１台設置するようにしても良い。この実施形態では、遊技場に設けられている貨幣類取扱装置の一例として、遊技カード発券機３を挙げている。
【００４７】
図３は、遊技カード発券機３の機能的構成を示す説明図であり、電気的な機能構成だけでなく、機構的な機能構成をも示している。
【００４８】
遊技カード発券機３も、斜視図の図示は省略しているが、箱形状を有し、例えば、床面等に固定設置されているものである。
【００４９】
遊技カード発券機３の内部には、遊技カード貯蔵部３１及び貨幣判別部３２が設けられていると共に、携帯金庫４の装着空間も設けられている。なお、図３は、携帯金庫４が内部空間に装着されているイメージを示している。
【００５０】
遊技カード貯蔵部３１は、遊技カード３０を貯蔵しているものであり、制御部３３の制御下で、貯蔵されている遊技カード３０を１枚繰り出して、遊技カード排出口３４から排出させるものである。
【００５１】
なお、この実施形態においては、遊技カード３０はプリペイドカードであるとする。遊技カード３０は、金額が異なる複数のもの（例えば、１０００円、…、５０００円、１００００円）があり、繰り出される遊技カード３０は、遊技者によって指定された額（当然にその分の入金もなされている）のものである。
【００５２】
勿論、遊技カード３０が別な形態のものであっても良い。例えば、遊技カード３０自体には、遊技球を供給可能な金額情報が記録されておらず、単に、カードＩＤだけが記録されていて、入金額をシステム管理コンピュータ７に転送し、この遊技カード３０がパチンコ球貸出装置（図示せず）に装着されたときに、パチンコ球の貸出しがなされたときに、システム管理コンピュータ７での金額情報を減額していくような形態の遊技カードであっても良い。
【００５３】
貨幣判別部３２は、紙幣出入口３５、硬貨挿入口３６及び硬貨払出口３７と、携帯金庫４との間の貨幣の搬送路に介在して設けられているものであり、挿入された紙幣や硬貨、又は、払い出そうとする紙幣や硬貨の真偽を判別したり計数したりするものである。なお、偽造紙幣や偽造硬貨を検出したときや挿入した貨幣を計数したときには制御部３３に通知するものである。
【００５４】
紙幣出入口３５は、遊技カード３０の購入に必要な紙幣が挿入されたり、入金額に比して購入された遊技カード３０の金額が安い場合には制御部３３の制御下で釣銭紙幣を払い出したりするものである。なお、紙幣挿入口と紙幣払出口とが別個に設けられていても良い。
【００５５】
硬貨挿入口３６は、遊技カード３０の購入に必要な硬貨が挿入されるものであり、硬貨払出口３７は、入金額に比して購入された遊技カード３０の金額が安い場合には制御部３３の制御下での釣銭硬貨を払い出したりするものである。
【００５６】
なお、遊技カード３０の金額種類が紙幣だけを対象とできるものの場合には、当該遊技カード発券機３を紙幣だけを取り扱うものとでき、この場合には、携帯金庫４も紙幣だけを取り扱い、貨幣判別部３２も紙幣だけを取り扱い、硬貨挿入口３６や硬貨払出口３７を不要にできる。
【００５７】
携帯金庫４の構成については後述する。上述のように、当該遊技カード発券機３には携帯金庫４を装着し得る空間が設けられており、携帯金庫４が装着された際には、金庫装着センサ４９がそのことを検出して制御部３３に通知するようになされている。制御部３３は、動作の説明で後述するようにして、携帯金庫４を、貨幣を授受できる状態にする。なお、携帯金庫４は、後述する防犯構成用の電源を内蔵しているが、他の構成用の動作電源は、図３では省略しているが、携帯金庫４が装着された際に、当該遊技カード発券機３から供給されるようになされている。
【００５８】
当該遊技カード発券機３の扉体３９は、携帯金庫４の装着空間を含めた内部空間の全てをカバーしている。この扉体３９は、図３では省略しているが、電磁機構その他の電気的制御可能な施錠機構を有し、この施錠機構に対するロック／アンロックは制御部３３によって制御されるようになされている。
【００５９】
扉体３９には、上述した紙幣出入口３５、硬貨挿入口３６及び硬貨払出口３７が設けられていると共に、図３では設置位置を正確に記載していないが、カード出入口４０、表示部４１、及び、金額指定ボタン（複数のボタンでなる）４２も設けられている。
【００６０】
カード出入口４０は、従業員が携帯する上述した操作者カード２０を出し入れするものである。カード出入口４０から挿入された操作者カード２０は、カードアクセス部４３まで搬送される。カードアクセス部４３は、操作者カード２０に記憶されている情報を読み取って制御部３３に与えたり、制御部３３から与えられた情報を操作者カード２０に記憶させたり通信回線Ｎを介してシステム管理コンピュータ７へ送信したりするものである。なお、操作者カード２０としては、接触式のＩＣカードを適用できるだけでなく、非接触式のＩＣカードを適用することもでき、後者の場合には、搬送動作を不要にできる。
【００６１】
この装置でも、例えば、制御部３３は、操作者カード２０から読み取った情報やそれに応じたシステム管理コンピュータ７からの情報を扉体３９のアンロックの判断の１条件としたりする。また、制御部３３は、当該遊技カード発券機３に対する操作履歴を操作者カード２０に記憶させたりする。
【００６２】
表示部４１は、制御部３３の制御下で、操作を促すガイダンスメッセージや当該遊技カード発券機３の状態情報などを表示したりするものである。
【００６３】
金額指定ボタン４２は、発行させようとする遊技カード３０の金額種類を指定させるものである。
【００６４】
また、遊技カード発券機３は、通信処理部４４を備えている。通信処理部４４は、制御部３３の制御下で、現金管理機２やシステム管理コンピュータ７等の他の機器と専用回線Ｎを介した通信を実行するものである。
【００６５】
さらに、遊技カード発券機３は、無線通信部４５を備えている。携帯金庫４と制御部３３との情報授受は、この無線通信部４５を介して実行される。
【００６６】
制御部３３は、例えばマイコンでなり、当該遊技カード発券機３の全体を制御するものである。この制御内容については、後述する動作説明で明らかにする。
【００６７】
以上の構成要素の他、遊技カード発券機３は、当該遊技カード発券機３の動作や操作の異常を報知するためのブザー４６や、操作者カード２０の挿入状態などを示す操作者カード挿入ランプ４７や、遊技カード２０の発行状態を示すカード排出ランプ４８や、携帯金庫４の当該遊技カード発券機３への装着を検出する装着センサ４９なども備えている。その他、図示は省略しているが、現在の処理状態を取り消す取消ボタンや従業員を呼び出すための係員呼出ボタン等のボタン類や、紙幣が挿入された際や紙幣を払い出す際に点灯制御される紙幣投入ランプや、硬貨が挿入された際や硬貨を払い出す際に点灯制御される硬貨払出ランプ等のランプ類を備えていても良い。
【００６８】
（Ａ−１−３）携帯金庫４
携帯金庫４は、現金管理機２及び遊技カード発券機３間の現金（貨幣）の移動に利用される金庫である。また、携帯金庫４は、遊技カード発券機３に装着されている状態では、遊技カード発券機３における貨幣貯蔵部として機能するものである。
【００６９】
図４は、携帯金庫４の概略斜視図であり、図５は、携帯金庫４の機能的構成を示す説明図であり、電気的な機能構成だけでなく、機構的な機能構成をも示している。
【００７０】
図４及び図５において、携帯金庫４は、後述する窓部５０〜５３を除けば完全に閉塞されている概ね筺形状を有しているものである。携帯金庫４の例えば、上面には紙幣挿入用窓部５０、硬貨挿入用窓部５１、紙幣排出用窓部５２及び硬貨排出用窓部５３が設けられており、これら窓部５０〜５３はそれぞれ、対応する閉塞板５４〜５７によって筺体内部側から、閉塞可能となされている。各閉塞板５４、…、５７は、例えば、回動、揺動又はスライド移動によって、対応する窓部５０、…、５３を開放又は閉鎖し得るものである。各閉塞板５４、…、５７が対応する窓部５０、…、５３を閉鎖している状態では、ロック機構５９、…、６２が働いて、外部から開放できないようになされている。
【００７１】
これらのロック機構５９〜６２は、電磁ソレノイド等のロック解除手段６３〜６６によってのみ、ロックを解除でき、言い換えると、窓部５０〜５３を開放することができる。ロック解除手段６３〜６６への電源は、現金管理機２又は遊技カード発券機３に当該携帯金庫４が装着された状態で、現金管理機２又は遊技カード発券機３から供給されるようになされており、その供給ライン上には、制御部６７によって開閉制御されるスイッチ６８〜７１が設けられている。
【００７２】
貨幣収納部７２は金種別の収納部に分かれており、各金種の貨幣を収納しているものである。現金管理機２又は遊技カード発券機３から供給された電源は、後述するように、窓部５０〜５３と貨幣収納部７２との間の貨幣搬送経路（貨幣収納部７２や搬送ローラ（図示せず）などを含む）での貨幣の搬送を行う駆動電源ともなっている。
【００７３】
また、携帯金庫４の例えば表面には、表示部７３が設けられている。表示部７３には、例えば、少なくとも現金管理機２又は遊技カード発券機３から取り出されて他方の装置に装着されるまでの間、制御部６７の制御下で、装着されるべき又は装着されていた遊技カード発券機３のＩＤや、この携帯金庫４を運搬している操作者（従業員）のＩＤ等が表示される。なお、金種毎の枚数をも、運搬時や装置への装着時に表示するようにしても良い。
【００７４】
現金管理機２又は遊技カード発券機３に装着されたときに、現金管理機２の無線通信部２３や遊技カード発券機３の無線通信部４５のアンテナに対向する携帯金庫４の一面には、現金管理機２又は遊技カード発券機３との通信用アンテナ（例えば面状アンテナでなる）７４が設けられており、この通信用アンテナ７４は、制御部６７に接続されている無線通信部７５に接続されている。無線通信部７５は、制御部６７の制御下で、現金管理機２又は遊技カード発券機３との情報授受を行うものである。
【００７５】
また、携帯金庫４の複数の面には、防犯用アンテナ７６が設けられており、この防犯用アンテナ７６は、制御部６７に接続されている無線通信部７７に接続されている。防犯用アンテナ（送受信アンテナ）７６は、防犯用無線機６との間で電波を授受するものである。
【００７６】
防犯用無線機６については後で詳述する。ここでは、簡単に説明する。防犯用無線機６は、遊技場ホール内の天井の所定位置に設けられている。
【００７７】
防犯用無線機６は、携帯金庫４の絶対的又は相対的位置若しくは距離を検出するための送信機能を有する。
【００７８】
例えば、防犯用無線機６として１個を設け、その送信パワーを固定にすれば、携帯金庫４の防犯用アンテナ７６での受信パワーは、防犯用無線機６と携帯金庫４との距離に応じており、無線通信部７７が得た受信パワーに基づいて制御部６７は距離を捉えることができる。また例えば、防犯用無線機６を遊技場ホールの４隅の少なくとも３隅の天井に設け（結局３個設ける）、各防犯用無線機６が時刻情報を送信するようにすれば、携帯金庫４の無線通信部７７が復調して得た各防犯用無線機６の時刻情報から、制御部６７は双曲線等に従って遊技場ホール内（及び、送信パワーが大きいならばホール外も）での絶対的位置を捉えることができる。なお、以下の説明は、防犯用無線機６が後者に係るものとして行う。
【００７９】
携帯金庫４の無線通信部７７は、受信、復調し、携帯金庫４の絶対的又は相対的位置若しくは距離を検出できる情報を得て、制御部６７に与える。
【００８０】
防犯用無線機６は、携帯金庫４からの盗難の恐れ等の警報情報を取り込み、システム管理コンピュータ７に通知する受信機能を有する。
【００８１】
携帯金庫４の無線通信部７７は、制御部６７から与えられた警報情報を変調して防犯用アンテナ７６から放射させるものである。
【００８２】
また、携帯金庫４は、異常センサ７８やブザー７９などの防犯に機能する構成要素を有する。
【００８３】
異常センサ７８は、衝撃センサや傾きセンサなどでなり、当該携帯金庫４を破壊しようとした際の衝撃や、通常の運搬では考えられない当該携帯金庫４の傾き（当該携帯金庫４を逆さまにする）などの異常を検出して制御部６７に通知するものである。
【００８４】
ブザー７９は、制御部６７の制御下で、例えば、盗難や破壊を防ぐためや誤った装着を防止するため等に鳴動されるものである。
【００８５】
制御部６７は、例えばマイコンでなり、当該携帯金庫４の全体を制御するものである。この制御内容については、後述する動作説明で明らかにする。制御部６７は、記憶部やタイマ等を内蔵している。この実施形態の場合に、記憶部には処理用のプログラムの他に、収納されている貨幣の金種毎の枚数や、当該携帯金庫４のＩＤや、装着されていた当該携帯金庫４が現金管理機２又は遊技カード発券機３から離脱された時刻情報（装着されたときにはクリアされる）や、当該携帯金庫４が装着される又は装着されていた遊技カード発券機３のＩＤ等が適宜記憶される。
【００８６】
なお、図示は省略しているが、携帯金庫４は電池を備えている。携帯金庫４は、現金管理機２や遊技カード発券機３に装着されているときには、現金管理機２や遊技カード発券機３からの電源供給を受けて動作し、現金管理機２や遊技カード発券機３からの離脱状態では内蔵電池で動作する。内蔵電池からの電源は、現金管理機２や遊技カード発券機３からの離脱時にのみ機能する構成要素に供給される。
【００８７】
ここで、内蔵電池としては、当該携帯金庫４の閉塞性を損なわないように２次電池が好ましい。又は、電池を他の構成要素とは異なる空間に収納させ、電池の交換を認めるようにしても良い。
【００８８】
なお、図示は省略するが、携帯金庫４を電源接続端子を介して現金管理機２又は遊技カード発券機３からの電源供給がなされているか否かによって、現金管理機２又は遊技カード発券機３に装着されているか否かを検出することができる。ここで、どの現金管理機２又は遊技カード発券機３に装着されているかの認識は、無線通信による情報授受で認識する。
【００８９】
（Ａ−１−４）操作者カード装置５
操作者カード装置５は、現金管理機２や遊技カード発券機３の操作者となり得る従業員に携帯させる操作者カード２０を発行したり、発行した操作者カード２０を回収したりするものであり、タイムカード機能も兼ねているものである。なお、操作者カード２０の発行は従業員が出勤してきたときであり、操作者カード２０の回収は従業員が会社から退出するときである。
【００９０】
図６は、操作者カード装置５の機能的構成を示す説明図であり、電気的な機能構成だけでなく、機構的な機能構成をも示している。
【００９１】
操作者カード装置５は、操作者カード２０を収納する操作者カード収納部８０を備えており、操作者カード収納部８０は、制御部８１の制御下で、収納している操作者カード２０を繰り出したり、カード出入口８２から挿入された操作者カード２０を回収したりするものである。
【００９２】
操作者カード収納部８０及びカード出入口８２間の操作者カード２０の搬送経路上には、操作者カードアクセス部８３が設けられている。操作者カードアクセス部８３は、制御部８１の制御下で、操作者カード２０に情報を記憶したり削除したりするものである。この実施形態の場合、操作者カード収納部８０に収納されている状態の操作者カード２０には、カードＩＤだけが記憶されており、従業員コード等は記憶されていない。操作者カードアクセス部８３は、発行する操作者カード２０に対し、例えば、乱数付従業員固定コードを記憶し、回収する操作者カード２０に対し、乱数付従業員固定コードを削除する。
【００９３】
操作者カード装置５は、従業員本人を識別するための個体情報読取部８５を有する。
【００９４】
個体情報読取部８５は、例えば、指紋読取装置や掌紋読取装置や虹彩読取装置などでなり、読み取った個体情報（指紋、掌紋又は虹彩情報）を制御部８１に与えるものである。なお、読み取った個体情報と、予め登録されている登録情報との照合（従業員特定）は、制御部８１又はシステム管理コンピュータ７で実行される。
【００９５】
また、操作者カード装置５は、入力部８６、乱数発生部８７、表示部８８及び通信処理部８９などを有する。なお、日時などの計時を行うタイマは、制御部８１が有しているとする。
【００９６】
入力部８６は、例えば、複数のキーを備え、操作者が当該操作者カード装置５に所定情報（例えば、従業員固定コード）を入力させる際に用いられるものである。入力された情報は、制御部８１に与えられる。
【００９７】
乱数発生部８７は、制御部８１の制御下で乱数を発生し、発生乱数を制御部８１に与えるものである。各従業員には、固定の従業員コードが定まっているが、従業員が出勤して操作者カード（従業員カード）２０を発行する際には、乱数も発生され、固定の従業員コードに乱数を付加したもの操作者カード２０に記憶され、発行された操作者カード２０における従業員コード（言い換えると、その日の従業員コード）になるようになされている。
【００９８】
表示部８８は、制御部８１の制御下で、操作を促すガイダンスメッセージや当該操作者カード装置５の状態情報などを表示したりするものである。
【００９９】
通信処理部８９は、制御部８１の制御下で、システム管理コンピュータ７等の他の機器と専用回線Ｎを介した通信を実行するものである。
【０１００】
制御部８１は、例えばマイコンでなり、当該操作者カード装置５の全体を制御するものである。この制御内容については、後述する動作説明で明らかにする。
【０１０１】
（Ａ−１−５）防犯用無線機６
防犯用無線機６は、携帯金庫４に対する盗難や違法行為などを防止するための情報を、携帯金庫４との間で授受するためのものである。
【０１０２】
図７は、防犯用無線機６の機能的構成を示すブロック図である。防犯用無線機６については、この構成、機能説明の項において、動作も明らかにする。
【０１０３】
防犯用無線機６における制御部９５は、例えばマイコンでなり、当該防犯用無線機６の全体を制御するものである。
【０１０４】
制御部９５は、携帯金庫４が自己の位置を検出するために必要な、少なくとも当該防犯用無線機６のＩＤと現時刻とを含む送信情報を、例えば、０．５秒毎に無線送信部９６に与える。
【０１０５】
無線送信部９６は、与えられた送信情報を無線周波数帯の信号に変調して（フィルタリングや電力増幅なども適宜行う）、送受切替回路（いわゆるデュプレックス回路）９７を介して送受共用アンテナ９８に与えて空間に放射させる。
【０１０６】
送受共用アンテナ９８が電波を捕捉して得られた受信信号は、送受切替回路９７を介して、無線受信部９９に与えられる。無線受信部９９は与えられた受信信号を復調して（前置増幅やフィルタリングなども適宜行う）、いずれかの携帯金庫４からの送信情報を制御部９５に与える。携帯金庫４からの送信情報は、位置異常や衝撃異常や未装着時間異常などの防犯情報である。
【０１０７】
制御部９５は、無線受信部９９から情報が与えられたときには、異常が発生した携帯金庫４のＩＤや異常の種類などを含む携帯金庫異常情報を形成して、通信処理部１００によって、専用回線Ｎを経由し、システム管理コンピュータ７に通知する。
【０１０８】
（Ａ−１−６）システム管理コンピュータ７
システム管理コンピュータ７は、例えば、パソコンなどの通信機能を備えたコンピュータ装置で構成されているものであり、遊技場経営者や運営者による貨幣類管理システムの全体の管理に資するものである。
【０１０９】
例えば、現金管理機２、遊技カード発行発券機３、携帯金庫４、操作者カード装置５、防犯用無線機６等の機器類の数、通信ネットワーク上のアドレス、各機器のパラメータ設定及びこれらの機器の監視等を含む、現金管理（貨幣類管理）を行うものである。さらに、システム管理コンピュータ７は、パチンコ遊技機の出玉情報や会員カードの管理等を行っていた従来のホール管理コンピュータ（図示せず）に接続されている。むろん、これらのシステムをシステム管理コンピュータ７に組み込むことも可能である。
【０１１０】
システム管理コンピュータ７は、上述のようにコンピュータ装置で構成されているので、図８に示すように、制御部１１０、記憶部１１１、入力部１１２、表示部１１３、通信処理部１１４、印刷部１１５、外部記憶部１１６などを備えている。
【０１１１】
ここで、記憶部１１１及び又は外部記憶部１１６には、当該遊技場での現金全体の総額、金種別（各貨幣種類別）の枚数、各機器（現金管理機２や各携帯金庫４など）毎の金種別の枚数などの情報が適宜更新されながら記憶される。
【０１１２】
なお、この実施形態では、パチンコ球の貸出しが遊技カード３０によるパチンコ遊技機だけを有する遊技場を対象としている。パチンコ球の貸出し指令を現金（紙幣や硬貨）の受付けで行うパチンコ遊技間に設けられている、いわゆるサンド装置がある場合には、サンド装置における現金情報もシステム管理コンピュータ７に通信させるようにしても良く、また、サンド装置に対しても携帯金庫４を適用するようにしても良い。ここで、サンド装置に対する携帯金庫４は、遊技カード発券機３用のものと同一の形状でも異なる形状でも良い。異なる形状の場合、１個の現金管理機２が異なる２種類の携帯金庫４に対応できる内部構成を適用しても良く、サンド装置に対する携帯金庫４を装着し得る現金管理機２と、遊技カード発券機３に対する携帯金庫４を装着し得る現金管理機２とを別個に設置していても良い。
【０１１３】
また、詳述は省略するが、記憶部１１１及び又は外部記憶部１１６には、操作者カード２０や従業員に関する情報や、携帯金庫４の装着、携帯などの状態情報や、携帯金庫４の装着装置の情報や、各種装置の操作履歴情報なども記憶されている。
【０１１４】
なお、以下の動作説明において、記憶部１１１及び又は外部記憶部１１６に記憶されている情報なども明らかにする。
【０１１５】
（Ａ−２）実施形態の動作
次に、上述したような構成を有する実施形態の貨幣類管理システムの動作を説明する。なお、以下では、パチンコ遊技場での１日の流れに沿った順で、現金管理に係る動作を説明する。また、以下の説明においては、各種装置におけるカードや貨幣の挿入状態を表すランプの点灯、点滅、消灯動作の処理についての説明は省略する。
【０１１６】
（Ａ−２−１）従業員出勤時動作
まず、従業員が出勤してきた際の動作を、図９のシーケンス図を用いて説明する。
【０１１７】
操作者カード装置５の制御部８１は、待機状態においては、表示部８８に従業員の固定コードを入力することを求めるメッセージを表示させており、出勤してきた従業員は、入力部８６を用いて、自己の従業員固定コードを入力する（Ｔ１）。
【０１１８】
このとき、制御部８１は、通信処理部８９を介したシステム管理コンピュータ７との通信により、その従業員固定コードが正当か否かが確認される（Ｔ２〜Ｔ４）。
【０１１９】
入力された従業員固定コードが正当でない場合には、制御部８１は、表示部８８に異常表示を実行させた後、待機状態に戻る（Ｔ５）。
【０１２０】
一方、入力された従業員固定コードが正当である場合には、制御部８１は、個体情報読取部（指紋読取装置）８５に身体に所定部位を接触又は近付けることを促すメッセージを表示部８８に表示させる（Ｔ６）。これにより、従業員は、所定部位のイメージを個体情報読取部８５に読み取らせ、制御部８１は、通信処理部８９を介したシステム管理コンピュータ７との通信により、従業員固定コードに対応するイメージ情報であるかを確認する（Ｔ７〜Ｔ１０）。
【０１２１】
読取りで得たイメージデータが妥当でない場合には、制御部８１は、表示部８８に異常表示を実行させた後、待機状態での表示に戻す（Ｔ１１）。
【０１２２】
一方、イメージデータが妥当であると、制御部８１は、乱数発生部８７によって乱数を発生させると共に、その時点での時刻（出勤時刻）を内蔵タイマから取り込む（Ｔ１２）。
【０１２３】
そして、制御部８１は、操作者カード収納部８０から１枚の操作者カード２０を繰り出させ、操作者カードアクセス部８３から、繰り出された操作者カード２０のカードＩＤを取得すると共に、従業員固定コードに発生乱数を付加したその日の従業員コードと出勤時刻とを、操作者カードアクセス部８３によって、繰り出された操作者カード２０に記憶させて、カード出入口８２から操作者カード２０を排出させ、従業員はこれを受領する（Ｔ１３、Ｔ１４）。
【０１２４】
また、制御部８１は、排出させた操作者カード２０のカードＩＤと、従業員固定コードに発生乱数を付加したその日の従業員コードと、出勤時刻とを、システム管理コンピュータ７に転送させて記憶させ（Ｔ１５、Ｔ１６）、その後、表示を待機状態の表示に戻す。操作者カード２０のカードＩＤとその日の従業員コードとは対情報となってシステム管理コンピュータ７側で記憶される。
【０１２５】
（Ａ−２−２）携帯金庫４への営業前の入金
次に、携帯金庫４への営業前の入金動作（貨幣類の収納動作）を、図１０及び図１１のシーケンス図を用いて説明する。
【０１２６】
営業開始前において、貨幣類が収納されていない携帯金庫４へ貨幣類の収納（入金）が行われるが、この入金時処理は、出勤操作を行って操作者カード２０を受領した従業員（や経営者や遊技場運営者）によってなされる。従業員は、貨幣類が収納されていない携帯金庫４を持って、現金管理機２の場所に来る。貨幣類が収納されていない携帯金庫４は、保管専用の場所に保管していても良く、また、遊技カード発券機３に装着して保管していても良い。
【０１２７】
現金管理機２の制御部１２は、待機状態においては、表示部１９に、操作者カード２０を挿入すると共に操作者コード（ここでは従業員固定コード）を入力することを求めるメッセージを表示させており、従業員（操作者）は、カード出入口１７に操作者カード２０を挿入すると共に、入力部１８を用いて、自己の従業員固定コードを入力する（Ｔ２０）。挿入された操作者カード２０での記憶情報は、カードアクセス部２１によって読み取られる。
【０１２８】
このとき、制御部１２は、通信処理部２２を介したシステム管理コンピュータ７との通信により、入力された従業員固定コードが正当で、しかも、挿入された操作者カード２０も正当であるか否かを確認する（Ｔ２１〜Ｔ２３）。挿入された操作者カード２０は、例えば、その操作者カード２０のカードＩＤと、従業員固定コード（入力された従業員固定コードと一致することも条件になっている）に発生乱数を付加したその日の従業員コードと、出勤時刻とがシステム管理コンピュータ７に登録されているものと一致すると、正当と判断される。なお、現金管理機２を操作し得る従業員を限定している場合には、操作者カード２０の記憶情報は登録されたものと一致していても、限定されている従業員以外のものであれば正当でないと判断する。
【０１２９】
入力された従業員固定コード又は挿入された操作者カード２０が正当でない場合には、制御部１２は、表示部１９に異常表示を実行させると共にブザー２４を鳴動させる（Ｔ２４）。
【０１３０】
一方、入力された従業員固定コード及び挿入された操作者カード２０が正当である場合には、制御部１２は、動作モードを指示することを求めるメッセージを表示部１９に表示させる（Ｔ２５）。
【０１３１】
これに応じて、従業員は、携帯金庫４への営業前の入金動作（貨幣類の収納動作）モードであることを、入力部１８から入力し、このとき、制御部１２は、外側の扉体１５だけをアンロックにする（Ｔ２６、Ｔ２７）。
【０１３２】
従業員は、扉体１５を開け、携帯金庫４を現金管理機２に装着して扉体１５を閉じ、これにより、図示しない扉体１５用のセンサからの閉成信号が制御部１２に与えられ、制御部１２は、扉体１５をロックさせる（Ｔ２８、Ｔ２９）。
【０１３３】
現金管理機２内に装着された携帯金庫４の制御部６７は、外部からの電源供給によって装着されたことを認識し、当該携帯金庫４のＩＤを無線通信部７５を介して現金管理機２に与え、無線通信部２３を介して携帯金庫４のＩＤを取り込んだ現金管理機２の制御部１２は、通信処理部２２を介したシステム管理コンピュータ７との通信により、装着された携帯金庫４が正当であるか否かを確認する（Ｔ３０〜Ｔ３３）。例えば、装着された携帯金庫４のＩＤがシステム管理コンピュータ７に登録されていない場合や、装着された携帯金庫４のＩＤが既に貨幣類が収納された携帯金庫４のＩＤと一致する場合には、正当でないと判断される。
【０１３４】
装着された携帯金庫４が正当でない場合には、制御部１２は、表示部１９に異常表示を実行させると共にブザー２４を鳴動させる（Ｔ３４）。
【０１３５】
これに対して、装着された携帯金庫４が正当である場合には、制御部１２は、無線通信部２３を介して、携帯金庫４に貨幣類の挿入口となる窓部５０及び５１の開放（閉塞板５４及び５５の移動）を指示し、無線通信部７５を介してその指示を受領した携帯金庫４の制御部６７は、窓部５０及び５１を開放させる（Ｔ３５、Ｔ３６）。
【０１３６】
また、現金管理機２の制御部１２は、通信処理部２２を介したシステム管理コンピュータ７との通信により、装着中の携帯金庫４を、営業時間に装着させておく遊技カード発券機３のＩＤと、その携帯金庫４に収納させる金種別の枚数とを取り込む（Ｔ３７〜Ｔ３９）。携帯金庫４を営業時間に装着させておく遊技カード発券機３の決定は、例えば、装着される携帯金庫４が定まっていない複数の遊技カード発券機３のＩＤの中で最も若いものにするような方法で行う。
【０１３７】
なお、携帯金庫４と、遊技カード発券機３とが１対１で対応している場合には、遊技カード発券機３の決定やＩＤの取り込みことを不要にできる。また、携帯金庫４に収納させる金種別の枚数を予めシステム管理コンピュータ７に登録させておく方法に加え、又は、それに代え、従業員が入力部１８を用いて指示するようにしても良い。
【０１３８】
これにより、両制御部１２及び６７の制御下で、現金管理機２の固定金庫１０から、貨幣計数部１１を経由した、携帯金庫４の貨幣収納部７２への貨幣の移動が実行される（Ｔ４０、Ｔ４１）。
【０１３９】
指示された金種別の枚数の貨幣の移動が終了すると、携帯金庫４の制御部６７は、開放されていた窓部５０及び５１を閉塞させる（閉塞板５４及び５５の元の位置への移動及びロック；Ｔ４２）。
【０１４０】
一方、現金管理機２の制御部１２は、指示された金種別の枚数の貨幣の移動が終了すると、通信処理部２２を介してシステム管理コンピュータ７にその旨を通知し、システム管理コンピュータ７は、その携帯金庫４の状態情報等の各種情報を設定記憶する（Ｔ４３、Ｔ４４）。例えば、状態情報を貨幣類の収納状態にしたり、枚数を記憶させたり、携帯金庫４とそれが装着される遊技カード発券機３を対応付けたり、携帯金庫４と従業員を対応付けたり、現金管理機２内の枚数を更新したり、その携帯金庫４の収納枚数を設定したりする。
【０１４１】
さらに、現金管理機２の制御部１２は、無線通信によって、携帯金庫４の制御部６７に所定情報を与え、携帯金庫４の制御部６７は、内蔵する記憶部に所定情報を記憶すると共に、表示部７３に所定情報を表示させる（Ｔ４５、Ｔ４６）。例えば、収納された貨幣の金種毎の枚数や、当該携帯金庫４が装着される遊技カード発券機３のＩＤ等がこの際に記憶される。また例えば、遊技カード発券機３のＩＤや、携帯金庫４を運搬する操作者（従業員）のコードや、金種毎の枚数等が表示される。
【０１４２】
現金管理機２の制御部１２は、貨幣類の携帯金庫４への収納が終了した旨を表示すると共に、外側の扉体１５だけをアンロックにする（Ｔ４７、Ｔ４８）。
【０１４３】
従業員は、扉体１５を開け、携帯金庫４を現金管理機２から取り出して扉体１５を閉じ、これにより、図示しない扉体１５用のセンサからの閉成信号が制御部１２に与えられ、制御部１２は、扉体１５をロックさせる（Ｔ４９、Ｔ５０）。
【０１４４】
携帯金庫４の制御部６７は、外部からの電源供給の停止によって離脱されたことを認識し、離脱時間を内部に記憶すると共に、防犯監視用のタイマを起動するなどの防犯処理に入る（Ｔ５１）。この処理については、次の運搬時動作の項で詳述する。
【０１４５】
扉体１５がロックされると、現金管理機２の制御部１２は、カードアクセス部２１によって、操作者カード２０に今回の操作履歴を記憶させると共に、内蔵する記憶部にも操作履歴を記憶させ、かつ、システム管理コンピュータ７にも操作履歴を転送させて記憶させる（Ｔ５２、Ｔ５３）。
【０１４６】
そして、制御部１２は、カード出入口１７から操作者カード２０を排出させ、各種動作の待機状態に戻り、従業員は操作者カード２０を受領する（Ｔ５４、Ｔ５５）。
【０１４７】
なお、以上は、営業開始前の携帯金庫４への入金動作であったが、営業中に実行される携帯金庫４への補充入金動作もほぼ同様に実行されるので、その説明は、省略する。
【０１４８】
（Ａ−２−３）携帯金庫４の運搬時動作
次に、運搬されている途中での携帯金庫４での動作（防犯監視動作）を、図１２のフローチャートを参照しながら説明する。
【０１４９】
なお、携帯金庫４は、営業開始前においては、現金管理機２によって貨幣が収納された後、所定の遊技カード発券機３まで運搬され、営業終了後においては、収納貨幣を回収するために遊技カード発券機３から取り出されて現金管理機２まで運搬される。また、営業中においても、携帯金庫４に貨幣を追加補充したり、収納されている貨幣が多くなりすぎて一部を回収したりするために、現金管理機２及び遊技カード発券機３間で運搬される。いずれの場合でも、携帯金庫４における運搬時動作は同様である。
【０１５０】
制御部６７は、現金管理機２又は遊技カード発券機３から当該携帯金庫４が取り出されたときには、図１２に示す処理を開始し、まず、内蔵する防犯監視用のタイマを起動する（Ｔ６０）。
【０１５１】
その後は、制御部６７は、当該携帯金庫４が再び遊技カード発券機３又は現金管理機２に装着されるまで、ステップＴ６１〜Ｔ６５でなる監視処理ループを繰り返す。
【０１５２】
すなわち、制御部６７は、防犯用無線機６からの情報に基づいて、当該携帯金庫４の位置を算出してその位置が不適切な位置にあるか否かを監視し（又は、その移動軌跡がおかしいか否かを監視し；Ｔ６１、Ｔ６２）、また、衝撃センサや傾きセンサ等の異常センサ７８から異常が通知されたか否かを監視し（Ｔ６３）、ある装置から離脱された時点からの経過時間が所定時間以上になったか否かを監視し（Ｔ６４）、さらに、当該携帯金庫４が再び遊技カード発券機３又は現金管理機２に装着されたか否かを監視する（Ｔ６５）。このような監視動作を繰り返す。
【０１５３】
例えば、遊技場ホールの出入口近傍に当該携帯金庫４にある場合や、遊技場ホールの出入口に向かって該携帯金庫４が移動している場合には、位置異常と判断され、このとき、制御部６７は、無線通信部７７によって、当該携帯金庫４のＩＤや位置異常であることやそのときの位置等を含む送信信号を無線送信させる（Ｔ６６）。
【０１５４】
また、例えば、当該携帯金庫４を破壊しようとして、ある人が当該携帯金庫４に衝撃を加えたり傾けたりすると、制御部６７には、異常センサ７８から異常が通知され、このとき、制御部６７は、無線通信部７７によって、当該携帯金庫４のＩＤや破壊異常であることやそのときの位置等を含む送信信号を無線送信させる（Ｔ６７）。
【０１５５】
さらに、例えば、後で持ち帰るようにすべく遊技場ホール内のいずれかの位置に当該携帯金庫４を隠したり、当該携帯金庫４から貨幣を取り出そうとしたりして（異常センサ７８が作動しない程度）、ある装置から当該携帯金庫４が離脱された時点からの経過時間が所定時間以上になっても当該携帯金庫４が遊技カード発券機３又は現金管理機２に装着されないと、制御部６７は、防犯監視用のタイマの計時時間に基づいてその異常を認識し、このとき、制御部６７は、無線通信部７７によって、当該携帯金庫４のＩＤや未装着異常であることやそのときの位置等を含む送信信号を無線送信させる（Ｔ６８）。
【０１５６】
いずれの場合にせよ、制御部６７は、異常に係る送信信号を無線送信させたときには、ブザー７９を鳴動させ、当該携帯金庫４の近傍にいる人に異常発生を報知したり、異常行為者に音で威嚇したりする（Ｔ６９）。なお、ブザー音は、徐々に大きくなったり、徐々に高くなったり、間欠的な鳴動であってその間欠周期が短くなったりするものが、注意喚起力が高くて好ましい。
【０１５７】
なお、異常情報を含む無線送信信号は、防犯用無線機６によって受信されてシステム管理コンピュータ７に通知される。このとき、システム管理コンピュータ７は、表示や音声等によって異常発生を報知する。これにより、遊技場経営者等が対応を取ることもできる。なお、システム管理コンピュータ７は、上述した報知動作に加えて、他のコンピュータ等に異常を通知するようにしても良い。例えば、当該遊技場ホールの本社や警備会社のコンピュータ等に異常を通知するようにしても良い。
【０１５８】
（Ａ−２−４）携帯金庫４の遊技カード発券機３への装着動作
次に、携帯金庫４を遊技カード発券機３へ装着させる際の動作、図１３及び図１４のシーケンス図を用いて説明する。
【０１５９】
営業開始前に貨幣が収納された携帯金庫４は、所定の遊技カード発券機３に、貨幣貯蔵部として用いられるべく装着される。なお、営業中においても、現金管理機２によって貨幣が追加補充されたり貨幣が一部回収されたりした携帯金庫４が、所定の遊技カード発券機３に再び装着されることがある。いずれの場合にせよ、装着動作は同様である。
【０１６０】
制御部３３は、携帯金庫４が装着されていない待機状態においては、表示部４１に、遊技カード３０を発行できない状態にあること、操作者は操作者カード２０を挿入することを求めるメッセージを表示させており、従業員（操作者）は、カード出入口４０に操作者カード２０を挿入する（Ｔ７５）。挿入された操作者カード２０の記憶情報は、カードアクセス部４３によって読み取られて制御部３３に与えられる。
【０１６１】
このとき、制御部３３は、通信処理部４４を介したシステム管理コンピュータ７との通信により、挿入された操作者カード２０も正当であるか否かを確認する（Ｔ７６〜Ｔ７８）。挿入された操作者カード２０は、例えば、その操作者カード２０のカードＩＤと、従業員固定コードに発生乱数を付加したその日の従業員コードと、出勤時刻とがシステム管理コンピュータ７に登録されているものと一致すると、正当と判断される。なお、遊技カード発券機３を操作し得る従業員を限定している場合には、操作者カード２０の記憶情報は登録されたものと一致していても、限定されている従業員以外のものであれば正当でないと判断する。
【０１６２】
挿入された操作者カード２０が正当でない場合には、制御部３３は、表示部４１に異常表示を実行させると共にブザー４６を鳴動させる（Ｔ７９）。
【０１６３】
一方、挿入された操作者カード２０が正当である場合には、制御部３３は、扉体３９をアンロックにし、表示部４１にその旨を表示させる（Ｔ８０）。このとき、従業員は、扉体３９を開け、携帯金庫４を当該遊技カード発券機３に装着して扉体３９を閉じ、これにより、図示しない扉体３９用のセンサからの閉成信号が制御部３３に与えられ、制御部３３は、扉体３９をロックさせる（Ｔ８１、Ｔ８２）。
【０１６４】
遊技カード発券機３内に装着された携帯金庫４の制御部６７は、外部からの電源供給によって装着されたことを認識し、当該携帯金庫４のＩＤを無線通信部７５を介して遊技カード発券機３に与え、無線通信部４５を介して携帯金庫４のＩＤを取り込んだ遊技カード発券機３の制御部３３は、携帯金庫４側から、無線通信により、その携帯金庫４が装着されるべき遊技カード発券機３のＩＤと、その携帯金庫４を扱っている操作者コードとを取り込み、そしてまず、自己のＩＤと一致するかを確認する（Ｔ８３〜Ｔ８６）。
【０１６５】
制御部３３は、ＩＤが一致していない場合には、扉体３９をアンロックにし、表示部４１に誤装着であることを表示させると共にブザー４６を鳴動させる（Ｔ８７）。このとき、従業員は、扉体３９を開け、携帯金庫４を取り出して扉体３９を閉じ、これにより、図示しない扉体３９用のセンサからの閉成信号が制御部３３に与えられ、制御部３３は、扉体３９をロックさせ、携帯金庫４が装着されていない待機状態での表示を表示部４１に実行させる（Ｔ８８、Ｔ８９）。
【０１６６】
ＩＤが一致していると、制御部３３は、挿入された操作者カード２０に係る従業員と携帯金庫４に記憶されていた従業員固定コードに係る従業員とが一致するかを確認する（Ｔ９０）。
【０１６７】
制御部３３は、取り扱い従業員が妥当でないと、表示部４１に従業員異常を表示させると共にブザー４６を鳴動させる（Ｔ９１）。
【０１６８】
従業員が妥当であると、制御部３３は、携帯金庫４側から、無線通信により、現金管理機２から離脱された時刻情報や金種別の枚数情報を取り込み、通信処理部４４を介して、携帯金庫４のＩＤや現金管理機２から離脱された時刻情報や金種別の枚数情報をシステム管理コンピュータ７に転送して照合させ、装着された携帯金庫４が正当であるか否かを確認する（Ｔ９２〜Ｔ９６）。例えば、携帯金庫４が記憶している金種別の枚数とシステム管理コンピュータ７での金種別の枚数が一致しない場合や、装着された携帯金庫４のＩＤがシステム管理コンピュータ７に登録されていない場合や、携帯金庫４が記憶している離脱時刻とシステム管理コンピュータ７での離脱時刻とが一致しない場合等には、正当でないと判断される。
【０１６９】
装着された携帯金庫４が正当でない場合には、制御部３３は、表示部４１に異常表示を実行させると共にブザー４６を鳴動させる（Ｔ９７）。
【０１７０】
これに対して、装着された携帯金庫４が正当である場合には、制御部３３は、無線通信部４５を介して、携帯金庫４に貨幣類の出入口となる窓部５０〜５３の開放（閉塞板５４〜５７の移動）と、運搬時での表示の消去とを指示し、無線通信部７５を介してその指示を受領した携帯金庫４の制御部６７は、窓部５０〜５３を開放させると共に、表示部７３における運搬時での表示を消去させる（Ｔ９８〜Ｔ１００）。
【０１７１】
また、遊技カード発券機３の制御部３３は、表示部４１に、遊技カード３０を発行し得る待機状態での表示を実行させる（Ｔ１０１）。さらに、制御部３３は、カードアクセス部４３によって、操作者カード２０に今回の操作履歴を記憶させると共に、内蔵する記憶部にも操作履歴を記憶させ、かつ、システム管理コンピュータ７にも操作履歴と当該遊技カード発券機３が遊技カード３０を発行し得る運用状態になったことを転送させて記憶させる（Ｔ１０２〜Ｔ１０４）。
そして、制御部３３は、カード出入口４０から操作者カード２０を排出させ、従業員は操作者カード２０を受領する（Ｔ１０５、Ｔ１０６）。
【０１７２】
なお、携帯金庫４が装着された遊技カード発券機３における遊技カード３０の発行動作は、携帯金庫４を貨幣貯蔵庫として利用する点を除けば、従来装置と同様であるので、その説明は省略する。なお、遊技カード３０の発行に伴う金種別の枚数変化は、携帯金庫４における枚数情報として、遊技カード発券機３内において更新されると共に、遊技カード発券機３からシステム管理コンピュータ７に通知されて適宜更新される。
【０１７３】
（Ａ−２−５）携帯金庫４の遊技カード発券機３からの離脱動作
次に、携帯金庫４を遊技カード発券機３から離脱させる際の動作を、図１５及び図１６のシーケンス図を用いて説明する。
【０１７４】
営業終了後においては、携帯金庫４は、所定の遊技カード発券機３から回収される。なお、営業中においても、現金管理機２によって貨幣を追加補充させるべく、また、現金管理機２によって貨幣を一部回収させるべく、携帯金庫４を、所定の遊技カード発券機３から離脱させることがある。いずれの場合にせよ、離脱動作は同様である。
【０１７５】
携帯金庫４が装着されている待機状態においては、従業員は、操作者カード２０を挿入することから遊技カード発券機３に対する操作を開始することになっている。
【０１７６】
携帯金庫４が装着されている待機状態において、従業員が、カード出入口４０に操作者カード２０を挿入すると、制御部３３は、そのことを認識すると共に、カードアクセス部４３が読み取った記憶情報を取り込み、通信処理部４４を介したシステム管理コンピュータ７との通信により、挿入された操作者カード２０が正当であるか否かを確認する（Ｔ１１５〜Ｔ１１８）。正当でないと判断される場合は、上述した携帯金庫４の装着時の場合と同様である。
【０１７７】
挿入された操作者カード２０が正当でない場合には、制御部３３は、表示部４１に異常表示を実行させると共にブザー４６を鳴動させる（Ｔ１１９）。
【０１７８】
一方、挿入された操作者カード２０が正当である場合には、制御部３３は、無線通信によって、携帯金庫４の制御部６７に、開放されていた窓部５０〜５３の閉塞を指示し、携帯金庫４の制御部６７は、開放されていた窓部５０〜５３を閉塞させる（閉塞板５４〜５７の元の位置への移動及びロック；Ｔ１２０、Ｔ１２１）。
【０１７９】
その後、遊技カード発券機３の制御部３３は、表示部４１に、動作モードを指示する旨の表示を実行させる（Ｔ１２２）。この実施形態の場合、遊技カード発券機３は、入力部を備えていないので、携帯金庫４が装着されていて、正当な操作者カード２０が挿入されたとき用の動作モードの指定には、例えば、遊技カード３０の金額を指定する金額指定ボタン４２の各ボタン等（各ボタンに動作モードを割り当てておく）を利用する。
【０１８０】
すなわち、従業員は、所定のボタンを操作して、携帯金庫４の取出モードであることを指定する（Ｔ１２３）。
【０１８１】
その後、遊技カード発券機３の制御部３３は、無線通信によって、携帯金庫４の制御部６７に所定情報を与え、携帯金庫４の制御部６７は、内蔵する記憶部に所定情報を記憶すると共に、表示部７３に所定情報を表示させる（Ｔ１２４、Ｔ１２５）。例えば、収納されている貨幣の金種毎の枚数や、当該携帯金庫４が装着されていた遊技カード発券機３のＩＤや、携帯金庫４を運搬する操作者（従業員）のコードやそのときの時刻が離脱時刻として、この際に記憶される。また例えば、遊技カード発券機３のＩＤや、携帯金庫４を運搬する操作者（従業員）のコードや、金種毎の枚数等が表示される。
【０１８２】
そして、遊技カード発券機３の制御部３３は、扉体３９をアンロックにすると共に、その旨を表示部４１に表示させる（Ｔ１２６、Ｔ１２７）。
【０１８３】
従業員は、扉体３９を開け、携帯金庫４を遊技カード発券機３から取り出して扉体３９を閉じ、これにより、図示しない扉体３９用のセンサからの閉成信号が制御部３３に与えられ、制御部３３は、扉体３９をロックさせる（Ｔ１２８、Ｔ１２９）。
【０１８４】
携帯金庫４の制御部６７は、外部からの電源供給の停止によって離脱されたことを認識し、離脱時刻を内部に記憶すると共に、防犯監視用のタイマを起動するなどの防犯処理に入る（Ｔ１３０）。この後の携帯金庫４の処理については、上述した運搬時動作の項で説明済みである。
【０１８５】
扉体３９がロックされると、遊技カード発券機３の制御部３３は、カードアクセス部４３によって、操作者カード２０に今回の操作履歴を記憶させると共に、内蔵する記憶部にも操作履歴を記憶させ、かつ、システム管理コンピュータ７にも操作履歴や離脱された携帯金庫４に関する各種情報を転送させて記憶させたり更新させたり設定させたりする（Ｔ１３１〜Ｔ１３３）。
【０１８６】
そして、制御部３３は、カード出入口４０から操作者カード２０を排出させ、携帯金庫４が装着されていない状態での待機状態に移行し、従業員は操作者カード２０を受領する（Ｔ１３４、Ｔ１３５）。
【０１８７】
（Ａ−２−６）携帯金庫４の貨幣の回収時動作
次に、現金管理機２によって、携帯金庫４内の貨幣を回収させる際の動作を、図１７及び図１８のシーケンス図を用いて説明する。
【０１８８】
営業終了後においては、携帯金庫４内の貨幣は、現金管理機２によって回収される。なお、営業中においても、携帯金庫４内の貨幣が多くなりすぎたため、一部が現金管理機２によって回収されることがある。これらの回収動作は、ほぼ同様であるので、前者の場合として、以下、説明する。
【０１８９】
現金管理機２の制御部１２は、待機状態においては、表示部１９に、操作者カード２０を挿入すると共に操作者コード（ここでは従業員固定コード）を入力することを求めるメッセージを表示させており、従業員（操作者）は、カード出入口１７に操作者カード２０を挿入すると共に、入力部１８を用いて、自己の従業員固定コードを入力する（Ｔ１４０）。挿入された操作者カード２０での記憶情報は、カードアクセス部２１によって読み取られる。
【０１９０】
このとき、制御部１２は、通信処理部２２を介したシステム管理コンピュータ７との通信により、入力された従業員固定コードが正当で、しかも、挿入された操作者カード２０も正当であるか否かを確認する（Ｔ１４１〜Ｔ１４３）。
【０１９１】
入力された従業員固定コード又は挿入された操作者カード２０が正当でない場合には、制御部１２は、表示部１９に異常表示を実行させると共にブザー２４を鳴動させる（Ｔ１４４）。
【０１９２】
一方、入力された従業員固定コード及び挿入された操作者カード２０が正当である場合には、制御部１２は、動作モードを指示することを求めるメッセージを表示部１９に表示させる（Ｔ１４５）。
【０１９３】
以上までの処理は、上述した営業開始前の携帯金庫４への貨幣の入金処理と同様である。
【０１９４】
動作モードの入力要求に応じて、従業員は、携帯金庫４からの全ての貨幣の回収動作モードであることを、入力部１８から入力し、このとき、制御部１２は、外側の扉体１５だけをアンロックにする（Ｔ１４６、Ｔ１４７）。
【０１９５】
従業員は、扉体１５を開け、携帯金庫４を現金管理機２に装着して扉体１５を閉じ、これにより、図示しない扉体１５用のセンサからの閉成信号が制御部１２に与えられ、制御部１２は、扉体１５をロックさせる（Ｔ１４８、Ｔ１４９）。
【０１９６】
現金管理機２内に装着された携帯金庫４の制御部６７は、外部からの電源供給によって装着されたことを認識し、当該携帯金庫４が記憶している各種情報を無線通信部７５を介して現金管理機２に与え、無線通信部２３を介して携帯金庫４の記憶情報を取り込んだ現金管理機２の制御部１２は、通信処理部２２を介したシステム管理コンピュータ７との通信により、装着された携帯金庫４が正当であるか否かを確認する（Ｔ１５０〜Ｔ１５３）。例えば、装着された携帯金庫４のＩＤがシステム管理コンピュータ７に登録されていない場合や、装着された携帯金庫４のＩＤが既に貨幣を全て回収された携帯金庫４のＩＤと一致する場合や、その携帯金庫４を遊技カード発券機３から取り外した従業員と挿入された操作者カード２０に係る従業員とが一致しない場合や、携帯金庫４が記憶している金種別の枚数がシステム管理コンピュータ７に記憶されているものと一致しない場合等には、正当でないと判断される。
【０１９７】
なお、正当であるか否かの照合は、情報を個別に得て逐次行っているが（既述した動作説明を参照）、ここでは、既述の説明で明白になっているので、まとめて記載している。
【０１９８】
装着された携帯金庫４が正当でない場合には、制御部１２は、表示部１９に異常表示を実行させると共にブザー２４を鳴動させる（Ｔ１５４）。
【０１９９】
これに対して、装着された携帯金庫４が正当である場合には、制御部１２は、無線通信部２３を介して、携帯金庫４に貨幣の排出口となる窓部５２及び５３の開放（閉塞板５６及び５７の移動）を指示し、無線通信部７５を介してその指示を受領した携帯金庫４の制御部６７は、窓部５２及び５３を開放させる（Ｔ１５５、Ｔ１５６）。
【０２００】
その後、両制御部１２及び６７の制御下で、携帯金庫４の貨幣貯蔵部７から、貨幣計数部１１を経由した、現金管理機２の固定金庫１０への貨幣の移動が実行される（Ｔ１５７、Ｔ１５８）。
【０２０１】
このようにして、携帯金庫４に収納されていた全ての貨幣の回収（移動）が終了すると、携帯金庫４の制御部６７は、開放されていた窓部５２及び５３を閉塞させる（閉塞板５６及び５７の元の位置への移動及びロック；Ｔ１５９）。
【０２０２】
一方、現金管理機２の制御部１２は、携帯金庫４に収納されていた全ての貨幣の回収が終了すると、通信処理部２２を介してシステム管理コンピュータ７にその旨を通知し、システム管理コンピュータ７は、その携帯金庫４の状態情報等の各種情報を更新させる（Ｔ１６０、Ｔ１６１）。例えば、携帯金庫４の状態情報を貨幣の未収納状態にしたり、枚数を０クリアさせたり、携帯金庫４とそれが装着される遊技カード発券機３との対応情報をクリアしたり、携帯金庫４と従業員との対応情報をクリアしたり、現金管理機２内の枚数を回数した分だけ増額更新したりする。
【０２０３】
また、現金管理機２の制御部１２は、無線通信によって、携帯金庫４の制御部６７に回収済みの所定情報を与え、携帯金庫４の制御部６７は、内蔵する記憶部に回収済みであることなどを記憶すると共に、表示部６７にも回収後用の情報を表示させる（Ｔ１６２、Ｔ１６３）。
【０２０４】
さらに、現金管理機２の制御部１２は、携帯金庫４からの貨幣回収が終了した旨を表示部１９に表示させると共に、外側の扉体１５だけをアンロックにする（Ｔ１６４、Ｔ１６５）。
【０２０５】
従業員は、扉体１５を開け、携帯金庫４を現金管理機２から取り出して扉体１５を閉じ、これにより、図示しない扉体１５用のセンサからの閉成信号が制御部１２に与えられ、制御部１２は、扉体１５をロックさせる（Ｔ１６６、Ｔ１６７）。
【０２０６】
携帯金庫４の制御部６７は、外部からの電源供給の停止によって離脱されたことを認識するが、貨幣が収納されていないので、何らの処理も実行しない。なお、貨幣が収納されている場合と同様に、離脱時刻を内部に記憶すると共に、防犯監視用のタイマを起動するなどの防犯処理を行っても良い。
【０２０７】
扉体１５がロックされると、現金管理機２の制御部１２は、カードアクセス部２１によって、操作者カード２０に今回の操作履歴を記憶させると共に、内蔵する記憶部にも操作履歴を記憶させ、かつ、システム管理コンピュータ７にも操作履歴を転送させて記憶させる（Ｔ１６８、Ｔ１６９）。
【０２０８】
そして、制御部１２は、カード出入口１７から操作者カード２０を排出させ、各種動作の待機状態に戻り、従業員は操作者カード２０を受領する（Ｔ１７０、Ｔ１７１）。
【０２０９】
（Ａ−２−７）従業員退出時動作
次に、従業員が会社から退出する際の動作を、図１９のシーケンス図を用いて説明する。
【０２１０】
操作者カード装置５の制御部８１は、待機状態においては、表示部８８に従業員の固定コードを入力することを求めるメッセージを表示させており、退出しようとする従業員は、入力部８６を用いて、自己の従業員固定コードを入力する（Ｔ１８０）。
【０２１１】
このとき、制御部８１は、通信処理部８９を介したシステム管理コンピュータ７との通信により、その従業員固定コードが正当か否かが確認される（Ｔ１８１〜Ｔ１８３）。
【０２１２】
入力された従業員固定コードが正当でない場合には、制御部８１は、表示部８８に異常表示を実行させた後、待機状態に戻る（Ｔ１８４）。
【０２１３】
一方、入力された従業員固定コードが正当である場合には、制御部８１は、個体情報読取部（指紋読取装置）８５に身体に所定部位を接触又は近付けることを促すメッセージを表示部８８に表示させる（Ｔ１８５）。これにより、従業員は、所定部位のイメージを個体情報読取部８５に読み取らせ、制御部８１は、通信処理部８９を介したシステム管理コンピュータ７との通信により、従業員固定コードに対応するイメージ情報であるかを確認する（Ｔ１８６〜Ｔ１８９）。
【０２１４】
読取りで得たイメージデータが妥当でない場合には、制御部８１は、表示部８８に異常表示を実行させた後、待機状態での表示に戻す（Ｔ１９０）。
【０２１５】
一方、イメージデータが妥当であると、制御部８１は、表示部８８に、操作者カード２０をカード出入口８２に挿入することを求めるメッセージを表示させ、従業員は、これに応じて、操作者カード２０をカード出入口８２に挿入する（Ｔ１９１、Ｔ１９２）。操作者カード２０の記憶情報は、カードアクセス部８３によって読み取られて制御部８１に与えられる。
【０２１６】
このとき、制御部８１は、通信処理部８９を介したシステム管理コンピュータ７との通信により、挿入された操作者カード２０が正当であるか否かを確認する（Ｔ１９３〜Ｔ１９５）。例えば、乱数付従業員固定コード（その日の従業員コード）や操作履歴がシステム管理コンピュータ７のものと異なっているときには、正当でないと判断される。
【０２１７】
挿入された操作者カード２０が正当でない場合には、制御部８１は、表示部８８に異常表示を実行させると共にブザー（図示せず）を鳴動させる（Ｔ１９６）。
【０２１８】
一方、挿入された操作者カード２０が正当である場合には、制御部８１は、カードアクセス部８３によって、挿入された操作者カード２０のカードＩＤ以外の情報を消去させた後、操作者カード収納部８０に回収させる（Ｔ１９７）。
【０２１９】
また、制御部８１は、その時点での時刻（退出時刻）を内蔵タイマから取り込み、回収した操作者カード２０のカードＩＤと、従業員固定コードに発生乱数を付加したその日の従業員コードと、退出時刻とを、システム管理コンピュータ７に転送させて各種情報の更新を実行させ（Ｔ１９８、Ｔ１９９）、その後、表示を処理終了を表したものにし（Ｔ２００）、最後に、待機状態の表示に戻す。システム管理コンピュータ７は、例えば、従業員のその日の勤務時間等を計算したりする。
【０２２０】
（Ａ−２−８）その他の動作
以上で詳述した以外の動作を図面を用いずに簡単に説明する。特に、現金管理機２についての動作を説明する。
【０２２１】
（ア）まず、現金管理機２の固定金庫１０に貨幣を補充させたり固定金庫１０から貨幣を回収させたりする場合（貨幣出入口１３を利用しない固定金庫１０に対する貨幣の補充や取出しの場合）の動作を説明する。
【０２２２】
銀行員や警備会社の者や遊技場経営者には、従業員とは異なる操作者カード２０が与えられており、現金管理機２にその操作者カード２０を挿入することで固定金庫１０の貨幣を取り扱う者であることを確認させる。この場合において、現金管理機２を取り扱う前に、システム管理コンピュータ７に操作可能の暗号を設定し、操作者が、現金管理機２に対してその暗号を入力することも操作可能の条件とするようにしても良い。
【０２２３】
操作者の確認ができたときには、現金管理機２は、２重の扉体１５及び１６をアンロックにし、操作者が扉体１５及び１６を共に開放し、固定金庫１０に貨幣を直接挿入したり、固定金庫１０から貨幣を直接取り出したりする。そして、扉体１５及び１６を閉成、ロックする。なお、固定金庫１０についての扉体となっている内側の扉体１６は、電磁的なアンロックの他、物理的なキーの挿入を条件として開放するようにしても良い（外側の扉体１５も同様な条件を付加しても良い）。
【０２２４】
以上のようにして固定金庫１０の枚数が変化したときには、貨幣計数部１１によって枚数を計数し直し、システム管理コンピュータ７での管理枚数等を更新させる。
【０２２５】
（イ）現金管理機２は、銀行などにおけるいわゆるＡＴＭ装置としての機能も有する。
【０２２６】
例えば、景品球としてのパチンコ球が交換される景品の搬入業者に支払いを行うような場合等、遊技場運営上で、現金が必要となったときには、現金管理機２から取り出される。
【０２２７】
この場合には、現金管理機２に、操作者カード２０を挿入したり従業員固定コードを入力したりして、操作者を確認した後、現金出金モードと、払出金額とを指定して、貨幣出入口１３から現金（貨幣）を払い出させる。当然に、システム管理コンピュータ７での現金管理機２での金種別の枚数は更新される。
【０２２８】
逆に、例えば、景品の購買等において釣り銭を受領した場合等、遊技場運営上で、現金を入手したときには、現金管理機２に収納される。
【０２２９】
この場合にも、現金管理機２に、操作者カード２０を挿入したり従業員固定コードを入力したりして、操作者を確認した後、現金入金モードを指定して、貨幣出入口１３から現金（貨幣）を入金させる。入金された貨幣計数部１１によって計数され、システム管理コンピュータ７での現金管理機２での金種別の枚数は更新される。
【０２３０】
（ウ）現金管理機２は、上述のように、ＡＴＭ装置としての機能も有するので、給料やパート代の支給にも利用できる。
【０２３１】
上述したように、操作者カード装置（従業員カード装置）４及びシステム管理コンピュータ７との機能により、従業員毎の各勤務日での勤務時間を捉えることができ、システム管理コンピュータ７は、それに基づいて、従業員毎のその月の給料やパート代を計算する。なお、システム管理コンピュータ７より上位のホストコンピュータ（図示せず；例えば、本社に設けられている）が給料やパート代を計算するようにしても良い。
【０２３２】
給料等の支給日になると、従業員は、現金管理機２に、操作者カード２０を挿入したり従業員固定コードを入力したりして、自己を確認させた後、給料支給モードを指定する。このとき、支給額の情報が、システム管理コンピュータ７から現金管理機２に転送され、貨幣出入口１３から給料（貨幣）が払い出される。システム管理コンピュータ７での現金管理機２での金種別の枚数は更新され、その従業員に係る情報には支給済みが記憶される。なお、現金管理機２に印刷機能を持たせて、支給明細を印刷させるようにしても良い。
【０２３３】
（Ａ−３）実施形態の効果
上記実施形態の貨幣類管理システム及び携帯金庫によれば、遊技カード発券部３の貨幣貯蔵部の部分を遊技カード発券部３から着脱自在な携帯金庫４とすると共に、携帯金庫４に対する貨幣の収納や回収を行う現金管理機２を設けるようにしているので、遊技カード発券部３に対する現金の補充や遊技カード発券部３からの現金の回収時に、従業員等が現金をそのまま取り扱うことがなくなり、盗難等からの防止機能を充実させることができる。
【０２３４】
また、携帯金庫４に、自己の位置異常や、破壊異常、未装着時間の長期異常等を検出して警報を発する機能を設けたので、この面からも、盗難等からの防止機能を充実させている。
【０２３５】
さらに、現金管理機２に、いわゆるＡＴＭ装置としての機能をも持たせているので、遊技場運営上で必要となる現金の移動を全て、現金管理機２を介して実行することができ、現金自体の管理を容易に行うことができる。
【０２３６】
さらにまた、現金管理機２や遊技カード発券機３や携帯金庫４の現金情報は、全てシステム管理コンピュータ７に与えられて情報管理されるので、現金情報を一元管理することができ、遊技場経営者や運営者が、現金状況等を容易に確認することができる。
【０２３７】
また、現金管理機２や遊技カード発券機３の操作は、操作者カード（従業員カード）２０の挿入を条件とすると共に、操作者カード２０に記憶されている従業員コードは、従業員固定コードにその日に発生された乱数でなるものであるので、違法者等による現金管理機２や遊技カード発券機３の不正操作に対する防犯機能が高くなっている。また、操作者カード２０は、退出時には回収されるので、操作者カード２０に不正を行う機会はほとんどあり得ない。
【０２３８】
さらに、携帯金庫４は、現金管理機２や遊技カード発券機３との間で必要な情報を無線通信により授受するので、コネクタ等から内部の制御構成にアクセスしたりすることはできなく、この面でも、携帯金庫４の防犯性は高い。
【０２３９】
さらにまた、現金管理機２は、貨幣の計数機能を備えていても、貨幣の真偽判別構成は備えないものであるので、貨幣の移動時の処理を高速にできると共にその構成を簡単なものにでき、多数の携帯金庫４を処理するとしても十分に対応することができる。
【０２４０】
（Ｂ）他の実施形態
上記実施形態の説明にも、種々他の実施形態に言及したが、さらに、以下に例示するような変形実施形態を挙げることができる。
【０２４１】
上記実施形態においては、貨幣類取扱装置の例として、遊技カード発券機を示したが、貨幣類取扱装置は他の装置でも良いことは勿論である。上述したようなサンド装置だけでなく、現金の入金によってパチンコ球を直接貸し出す島単位等に設けられたパチンコ球貸出装置であっても良い。また、その遊技場が、パチンコ遊技機以外の遊技機をも設置しているものであれば、その遊技機に関連する、貨幣類を扱う装置であっても良い。例えば、パチスロ用のコインの貸出装置であっても良い。
【０２４２】
また、上記実施形態においては、現金管理機２が１台のものを示したが、多くの携帯金庫４の処理の高速性等に鑑み、複数台設けられていても良い。また、携帯金庫４への貨幣収納用の現金管理機２や、携帯金庫４からの貨幣回収用の現金管理機２や、ＡＴＭ装置機能を担う現金管理機２等、機能別の現金管理機２を設けても良い。さらに、サンド装置用の携帯金庫と、遊技カード発券機用の携帯金庫との箱形状等の構成を異なるようにした場合には、その携帯金庫の構成別に対応するように、複数の現金管理機を設けても良い。
【０２４３】
上記説明においては、携帯金庫４だけが衝撃センサや傾きセンサ等の異常検出センサを設けたものを示したが、現金管理機２や遊技カード発券機３等の他の装置にもこれらを設けて良いことは勿論である。
【０２４４】
また、上記実施形態においては、携帯金庫４に収納する貨幣類が貨幣（紙幣及び又は硬貨）であるものを示したが、貨幣と同等な価値を有するものであっても良い。例えば、遊技カード発券機３に収納する遊技カード（ここではプリペイドカードとする）も携帯金庫によって遊技カード発券機３に収納させるようにしても良い。この場合において、貨幣そのものに関する携帯金庫４を扱う現金管理機が遊技カードに係る携帯金庫をも扱うようにしても良く、また、異なる現金管理機（貨幣類管理機）がそれぞれの携帯金庫を扱うようにしても良い。
【０２４５】
さらに、上記実施形態においては、防犯用無線機６からの送信電波に基づいて、携帯金庫４が自己の位置を検出して位置異常を監視するものを示したが、逆に、携帯金庫４からの送信電波により、防犯用無線機６等のネットワークＮに接続されている装置側で携帯金庫４の位置を検出して監視するようにしても良い。この場合であっても、位置異常を携帯金庫４に無線通信して、携帯金庫４自体に異常を報知させることが好ましい。
【０２４６】
また、携帯金庫４がジャイロや加速度センサ等を利用した単独の位置検出構成を備えていても良い。例えば、この場合、基準位置は、現金管理機２や遊技カード発券機３の位置となり、この基準位置からどの方向にどれだけ移動したかで位置を検出する。
【０２４７】
さらに、上記実施形態においては、携帯金庫４は、現金管理機２や遊技カード発券機３の内部空間に装着されるものを示したが、はめ込み式等の携帯金庫４の一部の面等が装着時においても、外部に見えるように装着するものであっても良い。この場合であっても、装着時には、所定条件が成立しない限り離脱できないものとし、また、貨幣類を取り出されないものとすることを要する。
【０２４８】
さらにまた、上記実施形態においては、操作カード装置（従業員カード装置）５が営業終了後に操作者カードを回収するものを示したが、回収を実行しないものであっても良い。この場合でも、出勤時に、操作者カードに、乱数を付加した従業員固定コード（その日の従業員コード）を記憶し、退出時に乱数部分を消去することが好ましい。
【０２４９】
また、従業員固定コードに付加する乱数は、現金管理機２や遊技カード発券機３から操作者カード２０から排出される毎に、言い換えると、現金管理機２や遊技カード発券機３が操作される毎に書き直すようにしても良い。書き換えられた乱数、言い換えると、従業員コードがシステム管理コンピュータ７に通知されることは勿論である。このようにした場合には、１日の中でも、頻繁に従業員コード（乱数付従業員固定コード）が変化し、より安全性を高くできる。
【０２５０】
なお、操作者カード（従業員カード）２０は、現金管理機２や遊技カード発券機３を操作するために用いるだけでなく、社内食堂での精算等、他の用途に用いて良いことは勿論である。
【０２５１】
また、携帯金庫４の遊技場外の持ち出しを防止するために、携帯金庫４が所定周波数のパイロット信号を常時送信し、遊技場出入口にその周波数に感応する部材を設けるようにしても良い。
【０２５２】
さらに、上記実施形態においては、現金管理機２や遊技カード発券機３が装着された携帯金庫４が正当なものであるかをシステム管理コンピュータ７との通信に基づいて判断するものを示したが、直前に離脱された装置（現金管理機２又は遊技カード発券機３）との通信によって、装着された携帯金庫４の正当性を確認するようにしても良い。
【０２５３】
さらにまた、携帯金庫４の離脱時に、現金管理機２や遊技カード発券機３が操作者カード２０を操作者に返却するものを示したが、離脱に先立ち操作者カード２０を携帯金庫４内に入れ、新たに装着された装置側で操作者カード２０を返却するようにしても良い。
【０２５４】
また、上記実施形態においては、独立した防犯用無線機６を示したが、遊技場内の複数設けられている遊技カード発券機３等の予め所定機能が定まっている装置に、上記実施形態の防犯用無線機６の機能を搭載させるようにしても良い。
【０２５５】
【発明の効果】
以上のように、本発明による遊技場の貨幣類管理システムによれば、（１）装置外部から挿入された貨幣類を収納する、及び又は、装置外部に排出させる貨幣類を収納する貨幣類収納部を有する遊技関連装置と、（２）遊技関連装置に着脱自在なものであって、遊技関連装置に装着されたときに、貨幣類収納部として機能する携帯金庫と、（３）携帯金庫を着脱自在なものであって、携帯金庫が装着された状態で、携帯金庫に貨幣類を収納させたり、及び又は、携帯金庫に収納されていた貨幣類を回収したりする貨幣類管理装置とを少なくとも有するので、防犯機能が充実したシステムを実現できる。
【０２５６】
ここで、遊技関連装置、携帯金庫及び貨幣類管理装置における貨幣類の枚数を一元管理するシステム管理コンピュータを設けたならば、管理体制が容易であって経理処理等を簡便にできるようになる。
【０２５７】
また、本発明の携帯金庫によって、上述した本発明の遊技場の貨幣類管理システムの効果などを発揮させることができる。
【図面の簡単な説明】
【図１】実施形態の遊技場の貨幣類管理システムの全体構成を示すブロック図である。
【図２】実施形態の現金管理機の構成を示す機能ブロック図である。
【図３】実施形態のカード発券機の構成を示す機能ブロック図である。
【図４】実施形態の携帯金庫の外観を示す概略斜視図である。
【図５】実施形態の携帯金庫の構成を示す機能ブロック図である。
【図６】実施形態の操作者カード装置（従業員カード装置）の構成を示す機能ブロック図である。
【図７】実施形態の防犯用無線機の構成を示す機能ブロック図である。
【図８】実施形態のシステム管理コンピュータの構成を示す機能ブロック図である。
【図９】実施形態の従業員出勤時動作を示すシーケンス図である。
【図１０】実施形態の携帯金庫への営業前の入金動作を示すシーケンス図（１）である。
【図１１】実施形態の携帯金庫への営業前の入金動作を示すシーケンス図（２）である。
【図１２】実施形態の携帯金庫の運搬時（装置離脱から装置装着の期間）の携帯金庫での動作を示すフローチャートである。
【図１３】実施形態の携帯金庫の遊技カード発券機への装着動作を示すシーケンス図（１）である。
【図１４】実施形態の携帯金庫の遊技カード発券機への装着動作を示すシーケンス図（２）である。
【図１５】実施形態の携帯金庫の遊技カード発券機からの離脱時動作を示すシーケンス図（１）である。
【図１６】実施形態の携帯金庫の遊技カード発券機からの離脱時動作を示すシーケンス図（２）である。
【図１７】実施形態の携帯金庫の貨幣の回収時動作を示すシーケンス図（１）である。
【図１８】実施形態の携帯金庫の貨幣の回収時動作を示すシーケンス図（２）である。
【図１９】実施形態の従業員退出時動作を示すシーケンス図である。
【符号の説明】
１…遊技場の貨幣類管理システム、２…現金管理機、３…カード発券機、４…携帯金庫、５…従業員カード装置、６…防犯用無線機、７…システム管理コンピュータ。
【図１】
0003970496.tif 000002
【図２】
0003970496.tif 000003
【図３】
0003970496.tif 000004
【図４】
0003970496.tif 000005
【図５】
0003970496.tif 000006
【図６】
0003970496.tif 000007
【図７】
0003970496.tif 000008
【図８】
0003970496.tif 000009
【図９】
0003970496.tif 000010
【図１０】
0003970496.tif 000011
【図１１】
0003970496.tif 000012
【図１２】
0003970496.tif 000013
【図１３】
0003970496.tif 000014
【図１４】
0003970496.tif 000015
【図１５】
0003970496.tif 000016
【図１６】
0003970496.tif 000017
【図１７】
0003970496.tif 000018
【図１８】
0003970496.tif 000019
【図１９】
0003970496.tif 000020